(57)【要約】【課題】センター管理装置と駐車場管理装置間の通信異常の復旧作業を容易にした駐車場管理システムを提供する。【解決手段】通信接続された複数の駐車場管理装置２から送信される駐車場状態情報をセンター管理装置１で受信して駐車場を遠隔管理する駐車場管理システムであって、センター管理装置１は、駐車場管理装置２との間の通信異常を検出する通信異常検出部４を備え、駐車場管理装置２は、センター管理装置１からの電話の呼出信号を受信したときに、センター管理装置１との間で通信を行う通信部９を初期状態に戻すようにリセット動作するリセット回路部１０を備え、通信異常検出部４が通信異常を検出した際に、異常の発生した駐車場管理装置２のリセット回路部１０に電話の呼出信号を送信して復旧動作をさせるように構成した。【選択図】      図１
2004287884.tif 000002
【特許請求の範囲】
【請求項１】
通信接続された複数の駐車場管理装置から送信される駐車場状態情報をセンター管理装置で受信して駐車場を遠隔管理する駐車場管理システムであって、
前記センター管理装置は、前記駐車場管理装置との間の通信異常を検出する通信異常検出部を備え、
前記駐車場管理装置は、前記センター管理装置からの電話の呼出信号を受信したときに、前記センター管理装置との間で通信を行う通信部を初期状態に戻すようにリセット動作するリセット回路部を備え、
前記通信異常検出部が通信異常を検出した際に、異常の発生した駐車場管理装置の前記リセット回路部に電話の呼出信号を送信して復旧動作をさせるように構成したことを特徴とする駐車場管理システム。
【請求項２】
前記センター管理装置は、前記異常の発生した駐車場管理装置の前記リセット回路部に自動的に電話の呼出信号を送信する復旧制御部を備える構成としたことを特徴とする請求項１に記載の駐車場管理システム。
【請求項３】
前記リセット回路部は、前記呼出信号の受信回数が所定回数に達したときにリセット動作する構成としたことを特徴とする請求項１または２に記載の駐車場管理システム。
【請求項４】
前記リセット回路部は、前記呼出信号を検出する呼出信号検出部と、該呼出信号検出部における検出回数をカウントして所定数に達するとタイマトリガ信号を出力するカウンタと、該タイマトリガ信号を受けて所定時間タイマ信号を出力するタイマと、前記通信部を該タイマの出力期間リセットするリレーとを備えて構成したことを特徴とする請求項３に記載の駐車場管理システム。
【請求項５】
前記リレーは、前記通信部の電源を遮断するように構成したことを特徴とする請求項４に記載の駐車場管理システム。
【請求項６】
前記リレーは、前記通信部に備えるリセット端子にリセット信号を与えるように構成したことを特徴とする請求項４に記載の駐車場管理システム。
【請求項７】
前記復旧制御部は、前記呼出信号の送信を終了した後、復旧動作終了の信号を出力し、前記駐車場管理装置への通信を可能とする構成としたことを特徴とする請求項２〜５のいずれか一つに記載の駐車場管理システム。
【請求項８】
前記駐車場管理装置は、前記リセット回路部によるリセット動作が終了すると、前記センター管理装置側に復旧動作終了の信号を送信する構成としたことを特徴とする請求項１〜５のいずれか一つに記載の駐車場管理システム。
【請求項９】
前記センター管理装置と前記駐車場管理装置との間のデータ送信中にリセット動作がされたとき、データ送信を最初からやり直すことを特徴とする請求項１〜８のいずれか一つに記載の駐車場管理システム。
【請求項１０】
前記センター管理装置は、前記通信異常検出部が通信異常を繰り返して検出したときに、検出回数が所定回数になると復旧不能を報知する構成としたことを特徴とする請求項１〜９のいずれか一つに記載の駐車場管理システム。
【発明の詳細な説明】
【０００１】
【発明の属する技術分野】
本発明は、複数の駐車場管理装置をセンター管理装置で遠隔管理する駐車場管理システムに関し、特に、センター管理装置と駐車場管理装置間の通信異常の復旧作業を容易にした駐車場管理システムに関する。
【０００２】
【従来の技術】
従来の駐車場管理システムには、遠隔地の複数の駐車場にそれぞれ備えた駐車場管理装置とセンター管理装置とを通信により接続して、両装置間で、例えば故障または保守情報や売上情報等の駐車場状態情報のデータ通信を常時行うことにより複数の駐車場の状態を一括して管理するようにしたものがある（例えば、特許文献１参照）。
【０００３】
【特許文献１】
特開２００１−１７５９９６号公報
【０００４】
【発明が解決しようとする課題】
しかし、このような従来の駐車場管理システムにおいては、センター管理装置と駐車場管理装置間の通信で、センター管理装置からの送信データに対して応答がない場合、または駐車場管理装置から異常データの応答があった場合等の通信異常が発生したときには、保守センターに連絡して異常の発生した駐車場管理装置まで人を派遣させ、該装置の通信部の電源を一旦落とした後に再投入するか、または通信部にリセット信号を与えてリセットする等により駐車場管理装置の通信部を初期状態に戻す必要があった。このように従来のこの種の駐車場管理システムにおいては、通信異常の復旧作業に人手と手間がかかっていた。
【０００５】
そこで、本発明は上記問題点に着目してなされたもので、センター管理装置と駐車場管理装置間の通信異常の復旧作業を容易にした駐車場管理システムを提供することを目的とする。
【０００６】
【課題を解決するための手段】
このために、請求項１の発明は、通信接続された複数の駐車場管理装置から送信される駐車場状態情報をセンター管理装置で受信して駐車場を遠隔管理する駐車場管理システムであって、前記センター管理装置は、前記駐車場管理装置との間の通信異常を検出する通信異常検出部を備え、前記駐車場管理装置は、前記センター管理装置からの電話の呼出信号を受信したときに、前記センター管理装置との間で通信を行う通信部を初期状態に戻すようにリセット動作するリセット回路部を備え、前記通信異常検出部が通信異常を検出した際に、異常の発生した駐車場管理装置の前記リセット回路部に電話の呼出信号を送信して復旧動作をさせるように構成した。
【０００７】
このような構成により、センター管理装置の通信異常検出部でセンター管理装置と駐車場管理装置との間の通信異常を検出すると、駐車場管理装置のリセット回路部に電話の呼出信号を送信し、該電話の呼出信号でリセット回路部にリセット動作をさせ、センター管理装置との間で通信を行う駐車場管理装置の通信部を初期状態に戻す。これにより、センター管理装置と駐車場管理装置間の通信異常の復旧作業を容易にする。
【０００８】
本発明の駐車場管理システムは、具体的には、請求項２のように前記センター管理装置は、前記異常の発生した駐車場管理装置の前記リセット回路部に自動的に電話の呼出信号を送信する復旧制御部を備える構成とするとよい。
【０００９】
さらに、請求項３のように前記リセット回路部は、前記呼出信号の受信回数が所定回数に達したときにリセット動作する構成とするとよい。この場合、前記リセット回路部は、請求項４のように前記呼出信号を検出する呼出信号検出部と、該呼出信号検出部における検出回数をカウントして所定数に達するとタイマトリガ信号を出力するカウンタと、該タイマトリガ信号を受けて所定時間タイマ信号を出力するタイマと、前記通信部を該タイマの出力期間リセットするリレーとを備えて構成するとよい。ここで、前記リレーは、請求項５のように前記通信部の電源を遮断するように構成しても、或いは請求項６のように前記通信部に備えるリセット端子にリセット信号を与えるように構成してもよい。
【００１０】
さらに、請求項７のように前記復旧制御部は、前記呼出信号の送信を終了した後、復旧動作終了の信号を出力し、前記駐車場管理装置への通信を可能とする構成としてもよい。または、請求項８のように前記駐車場管理装置は、前記リセット回路部によるリセット動作が終了すると、前記センター管理装置側に復旧動作終了の信号を送信する構成としてもよい。
【００１１】
また、請求項９のように前記センター管理装置と前記駐車場管理装置との間のデータ送信中にリセット動作がされたとき、データ送信を最初からやり直すようにしてもよい。
【００１２】
そして、前記センター管理装置は、請求項１０のように前記通信異常検出部が通信異常を繰り返して検出したときに、検出回数が所定回数になると復旧不能を報知する構成としてもよい。
【００１３】
【発明の実施の形態】
以下、本発明の実施の形態を添付図面に基づいて詳細に説明する。
図１に、本発明に係る駐車場管理システムの実施形態のブロック図を示す。なお、ここでは個別ロック式の駐車場管理システムを例に説明する。
図１において、本実施形態の駐車場管理システムは、センター管理装置１と、駐車場管理装置２とを有して構成される。なお、駐車場管理装置２は複数存在するものであるが、ここでは説明の便宜から一つで示している。
【００１４】
上記センター管理装置１は、遠隔地の複数の駐車場にそれぞれ備えた駐車場管理装置２を一括して管理するものであり、駐車場管理装置２との間で、例えば故障または保守情報や売上情報等の駐車場状態情報のデータ通信を行うための通信部３と、センター管理装置１及び駐車場管理装置２間の通信状態を常時監視し、通信異常を検出した際には復旧指令信号を出力する通信異常検出部４と、該復旧指令信号を受けて異常の発生した駐車場管理装置２に電話の呼出信号を自動送信して復旧動作をさせる復旧制御部５とを備えて構成する。
【００１５】
上記通信部３は、通信回線を介して駐車場管理装置２の後述の通信部９との間でデータ通信を行うものであり、例えば売上情報等の要求信号を駐車場管理装置２に送信し、各駐車場管理装置２から各駐車場の売上情報等の応答信号を受信したり各駐車場管理装置２から故障または保守情報を受信する等の動作をする。また、通信異常検出部４は、センター管理装置１からのデータ送信に対して駐車場管理装置２の応答がない場合、または異常データの応答があった場合等の通信異常を検出したときに通信部３の通信動作を一時的に停止して、通信異常の生じた駐車場管理装置２の復旧指令信号を出力する。さらに、復旧制御部５は、通信異常の発生した駐車場管理装置２の電話番号データを含む制御信号を出力する制御部６と、電話回線路８により駐車場管理装置２の後述するリセット回路部１０と接続し上記制御信号に基づいて該当する駐車場管理装置２の電話番号を自動的にダイヤルして電話をかける電話通信部７とを備えて構成し、該電話通信部７による電話の呼出信号の発生回数が所定回数に達した後、後述のタイマ信号出力期間に相当する所定時間が経過すると復旧動作終了の信号を上記通信部３に出力し、センター管理装置１から駐車場管理装置２へのデータ送信を可能にさせるようにしている。
【００１６】
上記駐車場管理装置２は、個別ロック駐車場に設置されるものであり、上記センター管理装置１との通信を行う通信部９と、該通信部９をリセットするリセット回路部１０と、複数のパークロック装置１１を制御するパークロック制御部１２と、駐車場状態情報取得部１３と、駐車料金精算機１４を制御する制御部１５とを備えて構成する。
【００１７】
上記通信部９は、所定の制御プログラムに基づいて通信を制御する通信制御部１６と、モデムまたはターミナルアダプタ（ＴＡ）等からなる通信回線接続部１７とを有している。
【００１８】
また、リセット回路部１０は、センター管理装置１の電話通信部７から発せられた電話の呼出信号を受信して上記通信部９を初期状態にリセットするものであり、図２に示すように上記センター管理装置１からの電話の呼出信号を検出して矩形波状の検出信号を出力する呼出信号検出部１８と、該検出信号の矩形数をカウントして該矩形数が所定数に達するとタイマトリガ信号を出力するカウンタ１９と、該タイマトリガ信号を受けて所定時間だけタイマ信号を出力するタイマ２０と、該タイマ信号により駆動される駆動部２１と、該駆動部２１の駆動で励磁されリレー接点を開放して上記通信部９の電源を上記タイマ２０の出力期間だけ遮断するリレー２２とを備えて構成している。なお、カウンタ１９は、例えばディップスイッチからなり、予め設定した数値とカウント数とが一致したときにパルス状のタイマトリガ信号を出力し、タイマ２０の動作開始時刻を決定するようにしている。したがって、上記カウント数の設定は、ディップスイッチの数値設定により任意に行うことができる。
【００１９】
さらに、上記パークロック制御部１２は、駐車場の複数の駐車スペースに備えられたパークロック装置１１を制御信号に基づいて駆動して、上記駐車スペースにおける車両の進退許可状態と進退禁止状態とを選択的に設定できるようにする。即ち、パークロック装置１１の踏み板をせり上げさせ、或いは下げさせる。
【００２０】
さらにまた、上記駐車場状態情報取得部１３は、パークロック装置１１、駐車場に設置した監視カメラ２３及び駐車料金精算機１４の故障情報、及びパークロック装置１１に不正な力が働いたことを知らせる情報、及び監視カメラ２３から出力される監視画像を駐車場状態情報の一つとして取得する。さらに、駐車料金精算機１４において領収書発行等に用いるためのロール紙や駐車券発行のための用紙などの各種消耗品が不足した場合、或いは釣銭が不足した場合には駐車料金精算機１４から保守情報が出力するようになっており、この保守情報も駐車場状態情報の一つとして取得する。
【００２１】
そして、上記制御部１５は、センター管理装置１から発せられた指令に基づいて駐車料金精算機１４の内部回路をリセットするリセット信号を出力するものであり、センター管理装置１により駐車料金精算機１４の復旧処理を行えるようにしている。
【００２２】
次ぎに、上記駐車場管理システムの動作を、図１〜図４を参照して説明する。例えば、図１に示す駐車場管理装置２の通信制御部１６における制御プログラムのバグや通信部９の電源異常により、センター管理装置１との間で正常な通信ができなくなった場合、その通信異常は、センター管理装置１の通信異常検出部４において検出される。そして、通信異常の生じた駐車場管理装置２の番号と、該駐車場管理装置２の復旧を促す復旧指令信号が通信異常検出部４から復旧制御部５に送られる。
【００２３】
復旧制御部５においては、上記復旧指令信号を受けると直ちに通信異常の生じた駐車場管理装置２の電話番号データを含む制御信号を制御部６から電話通信部７に送り、該電話通信部７により上記駐車場管理装置２の電話番号を自動的にダイヤルして呼び出し、電話回線路８を介してリセット回路部１０に電話の呼出信号を送信する。
【００２４】
以下、通信異常の復旧動作の処理過程を図３のフローチャートを参照して説明する。
先ず、ステップＳ１では、図４（ａ）に示すような、例えば１６Ｈｚの信号を約１秒間だけ２秒間隔で発する呼出信号が、センター管理装置１の電話通信部７から通信異常の発生した駐車場管理装置２のリセット回路部１０に対して電話回線路８を介して送信される。リセット回路部１０は、図２に示す呼出信号検出部１８で上記呼出信号を受信すると、これを整流して図４（ｂ）に示すような矩形波状の検出信号に変換する。
【００２５】
次ぎに、ステップＳ２では、上記検出信号の矩形数をカウンタ１９によりカウントして電話の呼出信号の受信回数をカウントする。
【００２６】
さらに、ステップＳ３では、上記矩形数に相当する電話の受信回数が予め設定した所定回数に達すると、カウンタ１９から図４（ｃ）に示すようなタイマトリガ信号を出力する。
【００２７】
そして、ステップＳ４では、このタイマトリガ信号をトリガとしてタイマ２０を起動し所定時間のリセット信号（タイマ信号）を出力する。なお、上記受信回数及びリセット信号（タイマ信号）の時間は、任意に設定可能である。
【００２８】
次ぎに、ステップＳ５では、上記リセット信号により駆動部２１が駆動して通信制御部１６の電源または通信回線接続部１７の電源をＯＮ／ＯＦＦするリレー２２を動作させ、図４（ｅ）に示すようにリレー接点を上記タイマ２０の出力期間だけ開放して電源を遮断する。これにより、通信部９はリセットされて初期状態に戻される。
【００２９】
さらに、ステップＳ６では、センター管理装置１側において、電話の呼出信号を所定回数発生した復旧制御部５で上記タイマ２０の出力期間に相当する所定時間が経過したか否かが判断される。ここで、所定時間が経過した場合（Ｙｅｓ）には、ステップＳ７に進む。
【００３０】
ステップＳ７では、センター管理装置１の復旧制御部５から復旧動作終了の信号が出力され、通信部３に送られて該通信部３を通信可能状態にする（図１参照）。
【００３１】
そして、ステップＳ８では、異常が発生した駐車場管理装置２に対して通信部３よりデータ送信が行われる。なお、データ送信中にリセット回路部１０のリセット動作が行われた場合には、データ送信は改めて最初からやり直しされる。
【００３２】
次ぎに、ステップＳ９では、上記データ送信に対して上記駐車場管理装置２から応答が有ったか否かが判断される。ここで、応答が有った場合（Ｙｅｓ）には、正常な通信が回復したものと判断して上記一連の復旧動作が終了する。一方、ステップＳ９において、上記駐車場管理装置２から応答が無かった場合（Ｎｏ）には、ステップＳ１０に進む。
【００３３】
ステップＳ１０では、上記一連の復旧動作の回数がカウントされ、所定の回数に達したか否かが判断される。即ち、ステップＳ９においてセンター管理装置１からのデータ送信に対して駐車場管理装置２からの応答が無かった場合、所定回数になるまでは、上記駐車場管理装置２から応答が有るまでステップＳ１〜Ｓ９の復旧動作が繰り返されることになる。この場合、繰り返し検出される通信異常は、復旧動作回数として通信異常検出部４でカウントされる。上記復旧動作が所定回数に達すると（Ｙｅｓ）、ステップＳ１１に進む。
【００３４】
そして、ステップＳ１１では、復旧不能の旨を報知し、保守員の派遣要請がなされる。この場合、保守員は、通信異常の発生した駐車場管理装置２の設置場所まで出向き、通信異常の原因解明と回復処置を講ずることになる。
【００３５】
このように本発明の駐車場管理システムによれば、センター管理装置１と駐車場管理装置２間において通信異常が発生した場合には、それを検出して該異常の発生した駐車場管理装置２に対してセンター管理装置１から自動的に電話をかけ、該電話の呼出信号に基づいて駐車場管理装置２の通信部９の電源を一時的に遮断し、通信部９をリセットして通信の復旧を図るようにしているので、通信異常の発生時に人を派遣する必要が無く、人手と手間がかからず復旧作業を容易に行うことができる。
【００３６】
また、通信の復旧動作は、電話の呼出信号に基づいて行われるため、駐車場管理装置２には着信しない。したがって、電話回線は未接続の状態であるので通話料金が発生することがない。
【００３７】
さらに、データ送信中に通信異常が発生したり、または駐車場管理装置に間違い電話がかかりリセット回路部１０でリセット動作が行われた場合には、復旧動作終了後に改めて最初からデータ送信が行われるので送信データの欠落を招くことがない。なお、上記カウンタ１９の設定数を大きくするように調整することにより間違い電話による誤動作を抑制することができる。
【００３８】
なお、上記駐車場管理装置２の通信部９のリセット動作は、図２に示すリレー２２を駆動して前述の通信制御部１６または通信回線接続部１６の電源を一時的に遮断するものに限られず、上記通信部６に備えたリセット端子へリレーを駆動してリセット信号を印加するようにしてもよい。
【００３９】
また、復旧動作終了信号は、上述の実施形態のようなセンター管理装置１側で発生させる構成に限られず、例えば駐車場管理装置２側においてタイマ信号の停止により通信部９からセンター管理装置１の通信部３に送信する構成であってもよい。
【００４０】
さらに、本発明の駐車場管理システムは、通信異常発生時にセンター管理装置１から駐車場管理装置２に自動的に電話をかけるようにしたものに限られず、通信異常を通信異常検出部４で検出した際に、通信異常の発生した駐車場管理装置２の電話番号を報知するようにし、その際人為的に上記駐車場管理装置２のリセット回路部に電話して呼出信号を送信することにより復旧動作をさせるようにしてもよい。
【００４１】
そして、本発明の駐車場管理システムは、個別パークロック式駐車場に限られず、ゲート式駐車場にも適用可能である。
【００４２】
【発明の効果】
以上説明したように本発明の駐車場管理システムによれば、センター管理装置と駐車場管理装置間において通信異常が発生した場合には、それを検出して該異常の発生した駐車場管理装置に対してセンター管理装置側から電話をかけ、該電話の呼出信号に基づいて駐車場管理装置の通信部を初期状態に戻すようにしているので、通信異常の発生時に人を派遣する必要が無く、人手と手間がかからず復旧作業を容易に行うことができる。
【００４３】
また、通信の復旧動作は、電話の呼出信号に基づいて行われるため、駐車場管理装置には着信せず、電話回線は未接続の状態のままであるので通話料金が発生することがない。
【００４４】
さらに、データ送信中に通信異常が発生したり、または駐車場管理装置に間違い電話がかかり復旧動作が開始された場合には、復旧動作終了後に改めて最初からデータ送信が行われるので送信データの欠落を招くことがない。
【００４５】
そして、復旧動作を繰り返し行っても通信異常が回復せず、該復旧動作が所定回数に達した場合には復旧不能を報知して保守員の派遣を要請するようにしているので、駐車場管理装置の通信部の故障に対しても迅速に対応することができる。
【図面の簡単な説明】
【図１】本発明による駐車場管理システムの実施形態を示すブロック図である。
【図２】リセット回路部の構成を示すブロック図である。
【図３】通信異常の復旧動作の処理過程を説明するためのフローチャートである。
【図４】通信異常の復旧動作の処理を行う各信号のタイミングチャートである。
【符号の説明】
１…センター管理装置
２…駐車場管理装置
３，９…通信部
４…通信異常検出部
５…復旧制御部
７…電話通信部
１０…リセット回路部
１８…呼出信号検出部
１９…カウンタ
２０…タイマ
２２…リレー
【図１】
2004287884.tif 000003
【図２】
2004287884.tif 000004
【図３】
2004287884.tif 000005
【図４】
2004287884.tif 000006